(57)【要約】  本発明の空気調和装置１は、第１の熱源側減圧装置５ａを閉止し、第１の電磁弁２４を開放して、第１の熱源側熱交換器６ａに圧縮機２から吐出したホットガスを供給し、第２の電磁弁２６を閉止し、第３の熱源側減圧装置５ｃを開放して、第３の熱源側熱交換器６ｃに低温低圧の二相冷媒を供給する第１の暖房除霜並行運転と、第１の電磁弁２４を閉止し、第１の熱源側減圧装置５ａを開放して、第１の熱源側熱交換器６ａに低温低圧の二相冷媒を供給し、第３の熱源側減圧装置５ｃを閉止し、第２の電磁弁２６を開放して、第３の熱源側熱交換器６ｃに圧縮機２から吐出したホットガスを供給する第２の暖房除霜並行運転とが可能であり、第１の暖房除霜並行運転又は第２の暖房除霜並行運転を行うときに、第２の熱源側減圧装置５ｂを閉止し、バイパス減圧装置２８を開放し開度を調整して、第２の熱源側熱交換器６ｂに圧縮機２から吐出したホットガスを供給する制御装置５００を備える。
2016166801.tif 000002
【特許請求の範囲】
【請求項１】
周波数可変型の圧縮機と、
第１の熱源側熱交換器、第２の熱源側熱交換器、及び第３の熱源側熱交換器を有し、前記第２の熱源側熱交換器が、前記第１の熱源側熱交換器と前記第３の熱源側熱交換器との間に固定され、前記第１の熱源側熱交換器が、前記第３の熱源側熱交換器よりも下方向に配置されるように、前記第１の熱源側熱交換器、前記第２の熱源側熱交換器、及び前記第３の熱源側熱交換器が、上下方向に並列に配置された熱源側熱交換ユニットと、
前記第１の熱源側熱交換器に接続された、開度を調整可能な第１の熱源側減圧装置と、
前記第２の熱源側熱交換器に接続された、開度を調整可能な第２の熱源側減圧装置と、
前記第３の熱源側熱交換器に接続された、開度を調整可能な第３の熱源側減圧装置と、
前記圧縮機の吐出口に連結された吐出側冷媒配管から分岐し、前記第１の熱源側熱交換器と第１の熱源側減圧装置との間に連結された第１のバイパス冷媒分岐配管と、
前記吐出側冷媒配管から分岐し、前記第２の熱源側熱交換器と前記第２の熱源側減圧装置との間に連結された第２のバイパス冷媒分岐配管と、
前記吐出側冷媒配管から分岐し、前記第３の熱源側熱交換器と前記第３の熱源側減圧装置との間に連結された第３のバイパス冷媒分岐配管と、
前記第１のバイパス冷媒分岐配管に配置された第１の電磁弁と、
前記第２のバイパス冷媒分岐配管に配置された、開度を調整可能なバイパス減圧装置と、
前記第３のバイパス冷媒分岐配管に配置された第２の電磁弁と、
前記第１の熱源側減圧装置、前記第２の熱源側減圧装置、前記第３の熱源側減圧装置、及び前記バイパス減圧装置の開度調整を行い、前記第１の電磁弁及び前記第２の電磁弁の開放又は閉止を行う制御装置と
を備え、
前記制御装置は、
前記第１の熱源側減圧装置を閉止し、前記第１の電磁弁を開放して、前記第１の熱源側熱交換器に前記圧縮機から吐出したホットガスを供給し、前記第２の電磁弁を閉止し、前記第３の熱源側減圧装置を開放して、前記第３の熱源側熱交換器に低温低圧の二相冷媒を供給する第１の暖房除霜並行運転と、
前記第１の電磁弁を閉止し、前記第１の熱源側減圧装置を開放して、前記第１の熱源側熱交換器に低温低圧の二相冷媒を供給し、前記第３の熱源側減圧装置を閉止し、前記第２の電磁弁を開放して、前記第３の熱源側熱交換器に前記圧縮機から吐出したホットガスを供給する第２の暖房除霜並行運転とが可能であり、
前記第１の暖房除霜並行運転又は前記第２の暖房除霜並行運転を行うときに、前記第２の熱源側減圧装置を閉止し、前記バイパス減圧装置を開放し開度を調整して、前記第２の熱源側熱交換器に前記圧縮機から吐出したホットガスを供給するものである
空気調和装置。
【請求項２】
前記第２の熱源側熱交換器が前記熱源側熱交換ユニットを占める容積比は、前記第１の熱源側熱交換器が前記熱源側熱交換ユニットを占める容積比及び前記第３の熱源側熱交換器が前記熱源側熱交換ユニットを占める容積比よりも小さい
請求項１に記載の空気調和装置。
【請求項３】
前記制御装置は、
前記第１の暖房除霜並行運転及び前記第２の暖房除霜並行運転の時に、制御量である吐出温度から凝縮温度を減算した温度差が第１の目標値となるように、前記バイパス減圧装置の開度を調整するものである
請求項１又は２に記載の空気調和装置。
【請求項４】
前記制御装置は、
前記第１の暖房除霜並行運転の時には、制御量である凝縮温度が第２の目標値となるように、操作量である前記圧縮機の運転周波数を調整し、
前記第２の暖房除霜並行運転の時には、制御量である蒸発温度が第３の目標値となるように、操作量である前記圧縮機の運転周波数を調整するものである
請求項１〜３のいずれか１項に記載の空気調和装置。
【発明の詳細な説明】
【技術分野】
【０００１】
本発明は、暖房運転中に、熱源側熱交換器に対し除霜運転が可能な空気調和装置に関する。
【背景技術】
【０００２】
従来、暖房運転中に除霜運転が可能な空気調和装置としては、上下方向に積み重ねた複数の室外熱交換器を有する空気調和装置が知られている（例えば、特許文献１）。特許文献１の空気調和装置は、圧縮機からのホットガスを複数の室外熱交換器のうちの１つに流すことにより、暖房運転と除霜運転とを並行して行うものである。
【先行技術文献】
【特許文献】
【０００３】
【特許文献１】特開平９−３１８２０６号公報
【発明の概要】
【発明が解決しようとする課題】
【０００４】
しかしながら、特許文献１の空気調和装置では、１つの室外熱交換器が除霜中の場合に、他の室外熱交換器が蒸発器として動作することとなる。除霜中の室外熱交換器と、蒸発器として動作する室外熱交換器との間の境界部分では、ホットガスの除霜効果は、蒸発器として動作する室外熱交換器を流れる低温冷媒によって相殺されるため、除霜のための十分な熱が確保できない場合がある。以上のことから、特許文献１の空気調和装置では、複数の室外熱交換器の境界部分において、残霜及び着氷が発生する可能性があるという問題点があった。【０００５】
本発明は、上述の問題を解決するためになされたものであり、複数の室外熱交換器の境界部分における残霜及び着氷の発生を抑制できる空気調和装置を提供することを目的とする。
【課題を解決するための手段】
【０００６】
本発明に係る空気調和装置は、周波数可変型の圧縮機と、第１の熱源側熱交換器、第２の熱源側熱交換器、及び第３の熱源側熱交換器を有し、前記第２の熱源側熱交換器が、前記第１の熱源側熱交換器と前記第３の熱源側熱交換器との間に固定され、前記第１の熱源側熱交換器が、前記第３の熱源側熱交換器よりも下方向に配置されるように、前記第１の熱源側熱交換器、前記第２の熱源側熱交換器、及び前記第３の熱源側熱交換器が、上下方向に並列に配置された熱源側熱交換ユニットと、前記第１の熱源側熱交換器に接続された、開度を調整可能な第１の熱源側減圧装置と、前記第２の熱源側熱交換器に接続された、開度を調整可能な第２の熱源側減圧装置と、前記第３の熱源側熱交換器に接続された、開度を調整可能な第３の熱源側減圧装置と、前記圧縮機の吐出口に連結された吐出側冷媒配管から分岐し、前記第１の熱源側熱交換器と第１の熱源側減圧装置との間に連結された第１のバイパス冷媒分岐配管と、前記吐出側冷媒配管から分岐し、前記第２の熱源側熱交換器と前記第２の熱源側減圧装置との間に連結された第２のバイパス冷媒分岐配管と、前記吐出側冷媒配管から分岐し、前記第３の熱源側熱交換器と前記第３の熱源側減圧装置との間に連結された第３のバイパス冷媒分岐配管と、前記第１のバイパス冷媒分岐配管に配置された第１の電磁弁と、前記第２のバイパス冷媒分岐配管に配置された、開度を調整可能なバイパス減圧装置と、前記第３のバイパス冷媒分岐配管に配置された第２の電磁弁と、前記第１の熱源側減圧装置、前記第２の熱源側減圧装置、前記第３の熱源側減圧装置、及び前記バイパス減圧装置の開度調整を行い、前記第１の電磁弁及び前記第２の電磁弁の開放又は閉止を行う制御装置とを備え、前記制御装置は、前記第１の熱源側減圧装置を閉止し、前記第１の電磁弁を開放して、前記第１の熱源側熱交換器に前記圧縮機から吐出したホットガスを供給し、前記第２の電磁弁を閉止し、前記第３の熱源側減圧装置を開放して、前記第３の熱源側熱交換器に低温低圧の二相冷媒を供給する第１の暖房除霜並行運転と、前記第１の電磁弁を閉止し、前記第１の熱源側減圧装置を開放して、前記第１の熱源側熱交換器に低温低圧の二相冷媒を供給し、前記第３の熱源側減圧装置を閉止し、前記第２の電磁弁を開放して、前記第３の熱源側熱交換器に前記圧縮機から吐出したホットガスを供給する第２の暖房除霜並行運転とが可能であり、前記第１の暖房除霜並行運転又は前記第２の暖房除霜並行運転を行うときに、前記第２の熱源側減圧装置を閉止し、前記バイパス減圧装置を開放し開度を調整して、前記第２の熱源側熱交換器に前記圧縮機から吐出したホットガスを供給するものである。
【発明の効果】
【０００７】
本発明によれば、空気調和装置の除霜運転時には、中段の位置にある第２の熱源側熱交換器に常にホットガスが流れている構成にできる。したがって、本発明によれば、複数の熱源側熱交換器の境界部分における残霜及び着氷の発生を抑制できる空気調和装置を提供することができる。
【図面の簡単な説明】
【０００８】
【図１】本発明の実施の形態１に係る空気調和装置１の一例を示す概略的な冷媒回路図である。
【図２】本発明の実施の形態１に係る空気調和装置１の制御装置５００における制御処理の一例を示すフローチャートである。
【図３】本発明の実施の形態２に係る空気調和装置１の制御装置５００における制御処理の一例を示すフローチャートである。
【図４】本発明の実施の形態３に係る空気調和装置１の制御装置５００における制御処理の一例を示すフローチャートである。
【図５】本発明の実施の形態３に係る空気調和装置１の制御装置５００における制御処理の別の一例を示すフローチャートである。
【発明を実施するための形態】
【０００９】
実施の形態１．
本発明の実施の形態１に係る空気調和装置１について説明する。図１は、本実施の形態１に係る空気調和装置１の一例を示す概略的な冷媒回路図である。なお、図１を含む以下の図面では各構成部材の寸法の関係及び形状が、実際のものとは異なる場合がある。
【００１０】
図１に示すように、空気調和装置１は、熱源側ユニット１００（室外機）と、熱源側ユニット１００に対し並列に配置された第１の負荷側ユニット２００ａ及び第２の負荷側ユニット２００ｂ（室内機）とを備える。熱源側ユニット１００と第１の負荷側ユニット２００ａ及び第２の負荷側ユニット２００ｂとの間は、第１の延長冷媒配管３００（液ライン）及び第２の延長冷媒配管４００（ガスライン）で接続されている。なお、図１には、負荷側ユニットが２台接続された構成としているが、負荷側ユニットの接続台数は１台でもよいし、３台以上としてもよい。
【００１１】
本実施の形態１の空気調和装置１は、圧縮機２、第１の負荷側熱交換器３ａ及び第２の負荷側熱交換器３ｂ、第１の負荷側減圧装置４ａ及び第２の負荷側減圧装置４ｂ、第１の熱源側減圧装置５ａ、第２の熱源側減圧装置５ｂ、及び第３の熱源側減圧装置５ｃ、熱源側熱交換ユニット６、冷媒流路切替装置７、並びにアキュムレータ８に順次冷媒を循環させる冷凍サイクルを有している。
【００１２】
圧縮機２は、熱源側ユニット１００に収容され、吸入した低圧冷媒を圧縮し、高圧冷媒として吐出する周波数可変型の流体機械である。圧縮機２は、例えば、インバータにより回転周波数が制御されるスクロール圧縮機を用いることができる。
【００１３】
第１の負荷側熱交換器３ａ及び第２の負荷側熱交換器３ｂは、暖房運転時には凝縮器として機能し、冷房運転時には放熱器（蒸発器）として機能する熱交換器である。第１の負荷側熱交換器３ａ及び第２の負荷側熱交換器３ｂは、第１の負荷側熱交換器３ａ及び第２の負荷側熱交換器３ｂの内部を流れる冷媒と、外気（例えば、室内空気）との熱交換を行うように構成される。例えば、負荷側熱交換器用ファン（図示せず）によって送風される外気に対して熱を放出するように構成できる。第１の負荷側熱交換器３ａ及び第２の負荷側熱交換器３ｂは、例えば、伝熱管と複数のフィンとにより構成されたクロスフィン式のフィン・アンド・チューブ型熱交換器として構成できる。なお、第１の負荷側熱交換器３ａは、第１の負荷側ユニット２００ａに収容されており、第２の負荷側熱交換器３ｂは、第２の負荷側ユニット２００ｂに収容されている。
【００１４】
第１の負荷側減圧装置４ａ及び第２の負荷側減圧装置４ｂは、冷房運転時に高圧液冷媒を膨張及び減圧させて、第１の負荷側熱交換器３ａ及び第２の負荷側熱交換器３ｂにそれぞれ流入させるものである。第１の負荷側減圧装置４ａ及び第２の負荷側減圧装置４ｂは、例えば多段階又は連続的に開度を調節可能なリニア電子膨張弁（ＬＥＶ）等の電子膨張弁が用いられる。なお、第１の負荷側減圧装置４ａは、第１の負荷側ユニット２００ａに収容されており、第２の負荷側減圧装置４ｂは、第２の負荷側ユニット２００ｂに収容されている。また、第１の負荷側減圧装置４ａ及び第２の負荷側減圧装置４ｂは、暖房運転の際は全開放の開度に調整される。
【００１５】
熱源側ユニット１００に収容された第１の熱源側冷媒配管１０は、第１の熱源側冷媒配管１０の上に設けられた第１の延長冷媒配管接続バルブ９ａ（液ライン側開閉弁）で、第１の延長冷媒配管３００に連結されている。第１の延長冷媒配管接続バルブ９ａは、例えば、開放及び閉止の切り替えが可能な二方向電磁弁等の二方弁で構成されている。
【００１６】
第１の熱源側減圧装置５ａ、第２の熱源側減圧装置５ｂ、及び第３の熱源側減圧装置５ｃは、暖房運転時に高圧液冷媒を膨張及び減圧させて、熱源側熱交換ユニット６に流入させるものであり、熱源側ユニット１００に収容されている。第１の熱源側減圧装置５ａは、第１の熱源側冷媒配管１０から分岐した第１の熱源側冷媒分岐配管１１ａに設けられている。第２の熱源側減圧装置５ｂは、第１の熱源側冷媒配管１０から分岐した第２の熱源側冷媒分岐配管１１ｂに設けられている。第３の熱源側減圧装置５ｃは、第１の熱源側冷媒配管１０から分岐した第３の熱源側冷媒分岐配管１１ｃに設けられている。第１の熱源側減圧装置５ａ、第２の熱源側減圧装置５ｂ、及び第３の熱源側減圧装置５ｃは、例えば多段階又は連続的に開度を調節可能なリニア電子膨張弁等の電子膨張弁が用いられる。また、第１の熱源側減圧装置５ａ、第２の熱源側減圧装置５ｂ、及び第３の熱源側減圧装置５ｃは、冷房運転の際は全開放の開度に調整される。
【００１７】
熱源側熱交換ユニット６は、暖房運転時には蒸発器として機能し、冷房運転時には凝縮器として機能する熱交換部であり、熱源側ユニット１００に収容されている。熱源側熱交換ユニット６は、熱源側熱交換ユニット６の内部を流れる冷媒と、外気（例えば、室外空気）との熱交換を行うように構成される。熱源側熱交換ユニット６は、例えば、熱源側熱交換器用ファン（図示せず）によって送風される外気に対して熱を放出するように構成できる。熱源側熱交換ユニット６は、例えば、伝熱管と複数のフィンとにより構成されたクロスフィン式のフィン・アンド・チューブ型熱交換器で構成できる。
【００１８】
熱源側熱交換ユニット６は、第１の熱源側熱交換器６ａと、第２の熱源側熱交換器６ｂと、第３の熱源側熱交換器６ｃとを備える。第２の熱源側熱交換器６ｂは、第１の熱源側熱交換器６ａと第３の熱源側熱交換器６ｃとの間に固定されており、第１の熱源側熱交換器６ａが第３の熱源側熱交換器６ｃよりも下方向に配置されるように上下方向に並列に配置されている。第１の熱源側熱交換器６ａは、第１の熱源側冷媒分岐配管１１ａに設けられている。第２の熱源側熱交換器６ｂは、第２の熱源側冷媒分岐配管１１ｂに設けられている。第３の熱源側熱交換器６ｃは、第３の熱源側冷媒分岐配管１１ｃに設けられている。
【００１９】
第２の熱源側熱交換器６ｂが熱源側熱交換ユニット６を占める容積比は、第１の熱源側熱交換器６ａが熱源側熱交換ユニット６を占める容積比及び第３の熱源側熱交換器６ｃが熱源側熱交換ユニット６を占める容積比よりも小さくなるように構成される。例えば、第２の熱源側熱交換器６ｂが熱源側熱交換ユニット６を占める容積比は、１０％程度となるように構成される。また、熱源側熱交換ユニット６が、クロスフィン式のフィン・アンド・チューブ型熱交換器で構成される場合、伝熱管４本分程度の高さとなるように構成される。
【００２０】
冷媒流路切替装置７は、冷房運転時と暖房運転時とを切り替える際に、冷凍サイクルにおける冷媒の流れ方向を切り替えるものであり、熱源側ユニット１００に収容されている。冷媒流路切替装置７としては、例えば四方弁が用いられる。
【００２１】
冷媒流路切替装置７と、第１の熱源側冷媒分岐配管１１ａ、第２の熱源側冷媒分岐配管１１ｂ、及び第３の熱源側冷媒分岐配管１１ｃの熱源側熱交換ユニット６の側の各末端部との間には、第２の熱源側冷媒配管１２が連結されている。冷媒流路切替装置７とアキュムレータ８との間には、第３の熱源側冷媒配管１４が連結されている。冷媒流路切替装置７と圧縮機２の吐出口との間には、第４の熱源側冷媒配管１６が連結されている。冷媒流路切替装置７と第２の延長冷媒配管４００との間には、第５の熱源側冷媒配管１８が連結されている。
【００２２】
冷媒流路切替装置７は、暖房運転において、第２の熱源側冷媒配管１２から第３の熱源側冷媒配管１４に冷媒が流れ、第４の熱源側冷媒配管１６から第５の熱源側冷媒配管１８に冷媒が流れるように構成される。また、冷媒流路切替装置７は、冷房運転時において、第４の熱源側冷媒配管１６から第２の熱源側冷媒配管１２に冷媒が流れ、第５の熱源側冷媒配管１８から第３の熱源側冷媒配管１４に冷媒が流れるように構成される。
【００２３】
なお、第２の熱源側冷媒配管１２、第３の熱源側冷媒配管１４、第４の熱源側冷媒配管１６、及び第５の熱源側冷媒配管１８は、熱源側ユニット１００に収容されている。また、第５の熱源側冷媒配管１８は、第５の熱源側冷媒配管１８に設けられた第２の延長冷媒配管接続バルブ９ｂ（ガスライン側開閉弁）で、第２の延長冷媒配管４００に連結されている。第１の延長冷媒配管接続バルブ９ａは、例えば、開放及び閉止の切り替えが可能な二方向電磁弁等の二方弁で構成されている。
【００２４】
アキュムレータ８は、余剰の冷媒を貯留する冷媒貯留機能と、運転状態が変化する際に一時的に発生する液冷媒を滞留させることにより、圧縮機２に大量の液冷媒が流入するのを防ぐ気液分離機能とを有するものであり、熱源側ユニット１００に収容されている。
【００２５】
次に、本実施の形態１に係る空気調和装置１において除霜運転を行うための、熱源側ユニット１００の冷媒回路について説明する。
【００２６】
バイパス冷媒配管２０は、第４の熱源側冷媒配管１６（吐出側冷媒配管）から分岐し、更に第１のバイパス冷媒分岐配管２２ａ、第２のバイパス冷媒分岐配管２２ｂ、及び第３のバイパス冷媒分岐配管２２ｃに分岐される。第１のバイパス冷媒分岐配管２２ａの末端部は、第１の熱源側減圧装置５ａと第１の熱源側熱交換器６ａとの間の位置で、第１の熱源側冷媒分岐配管１１ａに連結される。第２のバイパス冷媒分岐配管２２ｂの末端部は、第２の熱源側減圧装置５ｂと第２の熱源側熱交換器６ｂとの間の位置で、第２の熱源側冷媒分岐配管１１ｂに連結される。第３のバイパス冷媒分岐配管２２ｃの末端部は、第３の熱源側減圧装置５ｃと第３の熱源側熱交換器６ｃとの間の位置で、第３の熱源側冷媒分岐配管１１ｃに連結される。
【００２７】
本実施の形態１では、第１のバイパス冷媒分岐配管２２ａに第１の電磁弁２４が配置されており、第３のバイパス冷媒分岐配管２２ｃに第２の電磁弁２６が配置されている。
【００２８】
第１の電磁弁２４及び第２の電磁弁２６は、電力供給又は電力停止によって、流路を開放又は閉止するバルブである。第１の電磁弁２４及び第２の電磁弁２６は、除霜運転時に、圧縮機２から吐出されたホットガスを、第１の熱源側熱交換器６ａ及び第３の熱源側熱交換器６ｃにそれぞれ流入させるものである。第１の電磁弁２４及び第２の電磁弁２６は、圧縮機２から吐出されるホットガスを低圧まで減圧可能な容量係数（ＣＶ値）を有する。第１の電磁弁２４及び第２の電磁弁２６は、例えば、開放及び閉止の切り替えが可能な二方向電磁弁等の二方弁で構成されている。なお、第１の電磁弁２４及び第２の電磁弁２６は、除霜運転時以外、すなわち、冷房運転時及び通常の暖房運転時には閉止されるように調整される。
【００２９】
本実施の形態１では、第２のバイパス冷媒分岐配管２２ｂにバイパス減圧装置２８が配置されている。
【００３０】
バイパス減圧装置２８は、除霜運転時に、圧縮機２から吐出されたホットガスを膨張及び減圧させて、第２の熱源側熱交換器６ｂに流入させるものである。バイパス減圧装置２８は、例えば多段階又は連続的に開度を調節可能なリニア電子膨張弁（ＬＥＶ）等の電子膨張弁が用いられる。なお、バイパス減圧装置２８は、除霜運転時以外、すなわち、冷房運転時及び通常の暖房運転時には閉止されるように調整される。
【００３１】
次に、本実施の形態１に係る空気調和装置１に配置されるセンサについて説明する。
【００３２】
本実施の形態１に係る空気調和装置１は、第１の温度センサ３０と、第２の温度センサ３５と、第１の圧力センサ４０と、第２の圧力センサ４５とを備える。
【００３３】
第１の温度センサ３０は、例えば熱源側送風ファン（図示せず）の上流側に配置され、熱源側送風ファンによって吸い込まれ、熱源側熱交換ユニット６に送風される外気（室外空気）の温度を検知する外気温度センサである。第２の温度センサ３５は、第４の熱源側冷媒配管１６（吐出側冷媒配管）に配置され、圧縮機２から吐出された冷媒の温度を第４の熱源側冷媒配管１６を介して検知する吐出温度センサである。第１の圧力センサ４０は、第４の熱源側冷媒配管１６に配置され、圧縮機２から吐出された冷媒の圧力を検知する吐出温度センサである。第１の圧力センサ４０は、第４の熱源側冷媒配管１６に配置されている。第２の圧力センサ４５は、暖房運転時においては、熱源側熱交換ユニット６の出口から流出する冷媒の圧力を検知するものであり、冷房運転時においては、第１の負荷側熱交換器３ａ及び第２の負荷側熱交換器３ｂの出口から流出し、合流した冷媒の圧力を検知するものである。第２の圧力センサ４５は、第３の熱源側冷媒配管１４に配置されている。
【００３４】
第１の温度センサ３０及び第２の温度センサ３５の材料としては、半導体（例えば、サーミスタ）又は金属（例えば、測温抵抗体）等が用いられる。また、第１の圧力センサ４０及び第２の圧力センサ４５としては、水晶圧電式圧力センサ、半導体センサ、又は圧力トランスデューサ等が用いられる。なお、第１の温度センサ３０及び第２の温度センサ３５は、同一の材料で構成してもよいし、異なる材料で構成してもよい。また、第１の圧力センサ４０及び第２の圧力センサ４５についても、同種類のもので構成してもよいし、異なる種類のもので構成してもよい。
【００３５】
次に、本実施の形態１に係る空気調和装置１を制御する制御装置５００について説明する。
【００３６】
本実施の形態１に係る制御装置５００は、熱源側ユニット１００の動作を制御する第１の制御部５０と、第１の負荷側ユニット２００ａの動作を制御する第２の制御部５５ａと、第２の負荷側ユニット２００ｂの動作を制御する第３の制御部５５ｂとを備える。
【００３７】
第１の制御部５０、第２の制御部５５ａ、及び第３の制御部５５ｂは、ＣＰＵ、メモリ（例えば、ＲＯＭ、ＲＡＭ等）、Ｉ／Ｏポート等を備えたマイクロコンピュータを有している。なお、制御装置５００は、第１の制御部５０と、第２の制御部５５ａ及び第３の制御部５５ｂとの間を通信線５８で接続して、制御信号の送受信等、相互に通信を行うことができるように構成される。なお、第１の制御部５０と、第２の制御部５５ａ及び第３の制御部５５ｂとの間の通信は無線で行うことができるように構成してもよい。
【００３８】
第１の制御部５０は、第１の熱源側減圧装置５ａ、第２の熱源側減圧装置５ｂ、第３の熱源側減圧装置５ｃ、及びバイパス減圧装置２８の開度調整を行い、第１の電磁弁２４及び第２の電磁弁２６の開放又は閉止を行うように構成される。また、第１の制御部５０は、圧縮機２の運転周波数を調整できるように構成される。また、第１の制御部５０は、制御目標値等の各種データを記憶できる記憶部（図示せず）を有するように構成される。
【００３９】
第１の制御部５０は、第１の温度センサ３０及び第２の温度センサ３５で検知した温度情報の電気信号、並びに第１の圧力センサ４０及び第２の圧力センサ４５で検知した圧力情報の電気信号を受信するように構成される。
【００４０】
第１の制御部５０は、第１の圧力センサ４０で得られた吐出圧力から、冷凍サイクルにおける凝縮温度（飽和温度）を算出できるように構成される。また、第１の制御部５０は、第２の圧力センサ４５で得られた圧力から、冷凍サイクルにおける蒸発温度（飽和温度）を算出できるように構成される。
【００４１】
第２の制御部５５ａは、例えば第１の負荷側減圧装置４ａの開度を調整するように構成され、第３の制御部５５ｂは、例えば第２の負荷側減圧装置４ｂの開度を調整するように構成される。
【００４２】
次に、本実施の形態１に係る空気調和装置１の暖房運転時の動作について説明する。
【００４３】
圧縮機２から吐出された高温高圧のガス冷媒は、第１の負荷側熱交換器３ａ及び第２の負荷側熱交換器３ｂへ流入する。第１の負荷側熱交換器３ａ及び第２の負荷側熱交換器３ｂに流入した高温高圧のガス冷媒は、室内空気等の低温の媒体に熱を放出することによって熱交換され、高圧の液冷媒となる。高圧の液冷媒は、第１の負荷側減圧装置４ａ及び第２の負荷側減圧装置４ｂを通過して、第１の延長冷媒配管３００で合流し、熱源側ユニット１００に流入する。
【００４４】
熱源側ユニット１００に流入した高圧の液冷媒は、第１の熱源側冷媒配管１０から第１の熱源側冷媒分岐配管１１ａ、第２の熱源側冷媒分岐配管１１ｂ、及び第３の熱源側冷媒分岐配管１１ｃに分流する。分流した高圧の液冷媒は、第１の熱源側減圧装置５ａ、第２の熱源側減圧装置５ｂ、及び第３の熱源側減圧装置５ｃにそれぞれ流入する。第１の熱源側減圧装置５ａ、第２の熱源側減圧装置５ｂ、及び第３の熱源側減圧装置５ｃに流入した高圧の液冷媒は、膨張及び減圧されて低温低圧の二相冷媒となる。低温低圧の二相冷媒は、第１の熱源側熱交換器６ａ、第２の熱源側熱交換器６ｂ、及び第３の熱源側熱交換器６ｃに流入し、室外空気等の高温の媒体から熱を吸収し、蒸発して乾き度の高い二相冷媒又は低温低圧のガス冷媒となる。第１の熱源側熱交換器６ａ、第２の熱源側熱交換器６ｂ、及び第３の熱源側熱交換器６ｃから流出した乾き度の高い二相冷媒又は低温低圧のガス冷媒は、第２の熱源側冷媒配管１２で合流する。合流した乾き度の高い二相冷媒又は低温低圧のガス冷媒は、冷媒流路切替装置７及び第３の熱源側冷媒配管１４を経由して、アキュムレータ８に流入する。乾き度の高い二相冷媒又は低温低圧のガス冷媒は、アキュムレータ８で液相成分が除去された後に、圧縮機２に吸入される。圧縮機２に吸入された冷媒は圧縮されて、高温高圧のガス冷媒となり、圧縮機２から吐出される。圧縮機２から吐出された高温高圧のガス冷媒は、第４の熱源側冷媒配管１６、冷媒流路切替装置７、第５の熱源側冷媒配管１８、及び第２の延長冷媒配管４００を経由して、第１の負荷側熱交換器３ａ及び第２の負荷側熱交換器３ｂへ流入する。空気調和装置１の暖房運転では以上のサイクルが繰り返される。
【００４５】
なお、冷房運転時においては、冷媒流路切替装置７の内部の流路は、図１に示すように実線の流路から点線の流路に切り替えられる。これによって、第１の負荷側熱交換器３ａ及び第２の負荷側熱交換器３ｂに低温低圧の二相冷媒が流入し、室内空気等の高温の媒体から熱を吸収し、蒸発して乾き度の高い二相冷媒又は低温低圧のガス冷媒となる。これによって、室内空気は、冷媒の吸熱作用によって冷却されることとなる。
【００４６】
次に、本実施の形態１に係る空気調和装置１の制御装置５００における制御処理を説明する。
【００４７】
本実施の形態１に係る空気調和装置１の制御装置５００は、第１の熱源側減圧装置５ａを閉止し、第１の電磁弁２４を開放して、第１の熱源側熱交換器６ａに圧縮機２から吐出したホットガスを供給し、第２の電磁弁２６を閉止し、第３の熱源側減圧装置５ｃを開放して、第３の熱源側熱交換器６ｃに低温低圧の二相冷媒を供給する第１の暖房除霜並行運転を行い、第１の暖房除霜並行運転の後に、第１の電磁弁２４を閉止し、第１の熱源側減圧装置５ａを開放して、第１の熱源側熱交換器６ａに低温低圧の二相冷媒を供給し、第３の熱源側減圧装置５ｃを閉止し、第２の電磁弁２６を開放して、第３の熱源側熱交換器６ｃに圧縮機２から吐出したホットガスを供給する第２の暖房除霜並行運転を行い、第１の暖房除霜並行運転及び第２の暖房除霜並行運転の時に、第２の熱源側減圧装置５ｂを閉止し、バイパス減圧装置２８を開放し開度を調整して、第２の熱源側熱交換器６ｂに圧縮機２から吐出したホットガスを供給するものである。
【００４８】
図２は、本実施の形態１に係る空気調和装置１の制御装置５００における制御処理の一例を示すフローチャートである。図２の制御処理は、暖房運転時に常時行うようにしてもよいし、例えば、外気温度Ｔａの変動を検知した際に随時行うようにしてもよい。
【００４９】
ステップＳ１１において、制御装置５００は、第１の温度センサ３０で検知した外気温度Ｔａが除霜運転開始のための基準温度Ｔ０（例えば、０℃）より低いか否かを判定する。外気温度Ｔａが基準温度Ｔ０以上である場合、制御処理は終了し、通常の暖房運転が継続される。
【００５０】
外気温度Ｔａが基準温度Ｔ０未満である場合、ステップＳ１２において、制御装置５００は、第２の熱源側減圧装置５ｂを閉止し、バイパス減圧装置２８を開放し開度を調整する。これによって、第２の熱源側熱交換器６ｂに圧縮機２から吐出したホットガスが供給される。
【００５１】
次いで、ステップＳ１３において、制御装置５００は、第１の熱源側減圧装置５ａを閉止し、第１の電磁弁２４を開放する。これによって、第１の熱源側熱交換器６ａに圧縮機２から吐出したホットガスが供給される。
【００５２】
次いで、ステップＳ１４において、制御装置５００は、第２の電磁弁２６を閉止し、第３の熱源側減圧装置５ｃを開放する。これによって、第３の熱源側熱交換器６ｃに低温低圧の二相冷媒が供給される。
【００５３】
以上のステップＳ１２、ステップＳ１３、及びステップＳ１４によって、本実施の形態１の空気調和装置１では、第１の暖房除霜並行運転が行われる。
【００５４】
次いで、ステップＳ１５において、制御装置５００は、第１の暖房除霜並行運転による第１の熱源側熱交換器６ａの除霜が完了したか否かが判定される。除霜が完了したか否かの判定は、例えば第１の暖房除霜並行運転から一定の時間（例えば、６０秒）経過したか否かで判定できる。第１の熱源側熱交換器６ａの除霜が完了していないと判定された場合、第１の暖房除霜並行運転が継続される。
【００５５】
第１の熱源側熱交換器６ａの除霜が完了したと判定された場合、ステップＳ１６において、制御装置５００は、第１の電磁弁２４を閉止し、第１の熱源側減圧装置５ａを開放する。これによって、第１の熱源側熱交換器６ａに低温低圧の二相冷媒が供給される。
【００５６】
次いで、ステップＳ１７において、制御装置５００は、第３の熱源側減圧装置５ｃを閉止し、第２の電磁弁２６を開放する。これによって、第３の熱源側熱交換器６ｃに圧縮機２から吐出したホットガスが供給される。
【００５７】
以上のステップＳ１６及びステップＳ１７によって、本実施の形態１の空気調和装置１では、第２の暖房除霜並行運転が行われる。なお、第２の熱源側熱交換器６ｂでは、圧縮機２から吐出したホットガスが供給された状態が継続している。
【００５８】
次いで、ステップＳ１８において、制御装置５００は、第２の暖房除霜並行運転による第３の熱源側熱交換器６ｃの除霜が完了したか否かが判定される。除霜が完了したか否かの判定は、例えば第２の暖房除霜並行運転から一定の時間（例えば、６０秒）経過したか否かで判定できる。第３の熱源側熱交換器６ｃの除霜が完了していないと判定された場合、第２の暖房除霜並行運転が継続される。第３の熱源側熱交換器６ｃの除霜が完了したと判定された場合、制御処理は終了し、通常の暖房運転が行われる。
【００５９】
次に、本実施の形態１による本発明の効果を説明する。
【００６０】
上述したとおり、本実施の形態１に係る空気調和装置１は、周波数可変型の圧縮機２と、第１の熱源側熱交換器６ａ、第２の熱源側熱交換器６ｂ、及び第３の熱源側熱交換器６ｃを有し、第２の熱源側熱交換器６ｂが、第１の熱源側熱交換器６ａと第３の熱源側熱交換器６ｃとの間に固定され、第１の熱源側熱交換器６ａが、第３の熱源側熱交換器６ｃよりも下方向に配置されるように、第１の熱源側熱交換器６ａ、第２の熱源側熱交換器６ｂ、及び第３の熱源側熱交換器６ｃが上下方向に並列に配置された熱源側熱交換ユニット６と、第１の熱源側熱交換器６ａに接続された、開度を調整可能な第１の熱源側減圧装置５ａと、第２の熱源側熱交換器６ｂに接続された、開度を調整可能な第２の熱源側減圧装置５ｂと、第３の熱源側熱交換器６ｃに接続された、開度を調整可能な第３の熱源側減圧装置５ｃと、圧縮機２の吐出口に連結された吐出側冷媒配管（第４の熱源側冷媒配管１６）から分岐し、第１の熱源側熱交換器６ａと第１の熱源側減圧装置５ａとの間に連結された第１のバイパス冷媒分岐配管２２ａと、吐出側冷媒配管（第４の熱源側冷媒配管１６）から分岐し、第２の熱源側熱交換器６ｂと第２の熱源側減圧装置５ｂとの間に連結された第２のバイパス冷媒分岐配管２２ｂと、吐出側冷媒配管（第４の熱源側冷媒配管１６）から分岐し、第３の熱源側熱交換器６ｃと第３の熱源側減圧装置５ｃとの間に連結された第３のバイパス冷媒分岐配管２２ｃと、第１のバイパス冷媒分岐配管２２ａに配置された第１の電磁弁２４と、第２のバイパス冷媒分岐配管２２ｂに配置された、開度を調整可能なバイパス減圧装置２８と、第３のバイパス冷媒分岐配管２２ｃに配置された第２の電磁弁２６と、第１の熱源側減圧装置５ａ、第２の熱源側減圧装置５ｂ、第３の熱源側減圧装置５ｃ、及びバイパス減圧装置２８の開度調整を行い、第１の電磁弁２４及び第２の電磁弁２６の開放又は閉止を行う制御装置５００とを備え、制御装置５００は、第１の熱源側減圧装置５ａを閉止し、第１の電磁弁２４を開放して、第１の熱源側熱交換器６ａに圧縮機２から吐出したホットガスを供給し、第２の電磁弁２６を閉止し、第３の熱源側減圧装置５ｃを開放して、第３の熱源側熱交換器６ｃに低温低圧の二相冷媒を供給する第１の暖房除霜並行運転と、第１の暖房除霜並行運転の後に、第１の電磁弁２４を閉止し、第１の熱源側減圧装置５ａを開放して、第１の熱源側熱交換器６ａに低温低圧の二相冷媒を供給し、第３の熱源側減圧装置５ｃを閉止し、第２の電磁弁２６を開放して、第３の熱源側熱交換器６ｃに圧縮機２から吐出したホットガスを供給する第２の暖房除霜並行運転とが可能であり、第１の暖房除霜並行運転又は第２の暖房除霜並行運転を行うとき、第２の熱源側減圧装置５ｂを閉止し、バイパス減圧装置２８を開放し開度を調整して、第２の熱源側熱交換器６ｂに圧縮機２から吐出したホットガスを供給するものである。
【００６１】
従来、圧縮機、四方弁、上下に並列に２つ設けられた室外熱交換器、室外機側絞り装置、及び室内熱交換器を備えた室内機をガスライン及び液ラインで接続して構成した冷凍空調装置がある。また、従来、暖房中に２つ設けられた室外熱交換器のうちの片方の室外熱交換器が蒸発器として機能し、もう片方が除霜運転する機能（いわゆる、「オンデフ機能」）を有する冷凍空調装置がある。
【００６２】
例えば、従来の除霜運転機能を有する冷凍空調装置で、下側の室外熱交換器を除霜運転させ、上側の室外熱交換器を蒸発器とし暖房運転させる場合を考える。従来の除霜運転機能を有する冷凍空調装置は、圧縮機から上下室外熱交換器までの配管にそれぞれ電磁弁を有しており、液操作弁から上下室外熱交換器までの配管にそれぞれリニア電磁弁（ＬＥＶ）を有するものがある。従来の除霜運転機能を有する冷凍空調装置では、例えば、下側熱交換器につながる配管に接続された電磁弁を開け、リニア電磁弁を閉め、圧縮機から吐出したホットガスの一部を分岐させ下側熱交換器に流入させる。従来の除霜運転機能を有する冷凍空調装置では、上側熱交換器は、蒸発器とするため、上側熱交換器につながる配管に接続された電磁弁は閉じたままで、リニア電磁弁は開いたままの状態とする。
【００６３】
しかしながら、従来の除霜運転機能を有する冷凍空調装置では、上下に２つ設けた室外熱交換器のうち一方が除霜運転に用いられ、他方が暖房運転に用いられる。暖房運転に用いられる室外熱交換器は、蒸発器として機能し、室外熱交換器の内部には低温の冷媒が流れているため、２つの室外熱交換器の境界部では、低温の冷媒でホットガスの熱が相殺される。したがって従来の除霜運転機能を有する冷凍空調装置では、除霜のために十分な熱量を確保できずに残霜及び着氷が発生してしまうという問題点があった。
【００６４】
また、上側の室外熱交換器の除霜運転時に除霜により生じたドレン水が、氷点下の冷媒温度を有する下側の室外熱交換器に流れ、上側の室外熱交換器と下側の室外熱交換器との境界部分（主に、下側の室外熱交換器の最上部）に着氷してしまうという問題点があった。
【００６５】
また、残霜及び着氷により、暖房能力が低下する可能性、又は室外熱交換器に亀裂が発生する可能性があるという問題点があった。
【００６６】
これに対し、本実施の形態１の構成によれば、空気調和装置１の除霜運転時には、中段の位置にある第２の熱源側熱交換器６ｂに常にホットガスが流れている構成にできる。したがって、本実施の形態１の構成によれば、複数の熱源側熱交換器の境界部分における熱量の相殺がなくなるため、残霜及び着氷の発生を抑制できる空気調和装置１を提供することができる。
【００６７】
また、本実施の形態１の構成によれば、第１の熱源側熱交換器６ａの除霜運転を第３の熱源側熱交換器６ｃの除霜運転よりも前に行うことができる。第１の熱源側熱交換器６ａの着霜及び着氷を最初に融解することで、第３の熱源側熱交換器６ｃの除霜運転時に生じたドレン水が第３の熱源側熱交換器６ｃを通過しやすくなるため、ドレン水の排出を円滑に行うことができる。
【００６８】
以上のとおり、本実施の形態１の構成によれば、残霜及び着氷による、暖房能力の低下を回避できるため、エネルギー消費量を削減可能な空気調和装置１を提供することができる。また、本実施の形態１の構成によれば、残霜及び着氷による熱源側熱交換ユニット６の亀裂の発生を回避できる。
【００６９】
また、本実施の形態１の空気調和装置１では、第２の熱源側熱交換器６ｂが熱源側熱交換ユニット６を占める容積比は、第１の熱源側熱交換器６ａが熱源側熱交換ユニット６を占める容積比及び第３の熱源側熱交換器６ｃが熱源側熱交換ユニット６を占める容積比よりも小さくなるように構成できる。
【００７０】
この構成によれば、第２の熱源側熱交換器６ｂにより除霜運転時の暖房能力が低下するのを抑制することができる。
【００７１】
実施の形態２．
本発明の実施の形態２では、上述の実施の形態１に係る制御装置５００のバイパス減圧装置２８の開度の制御処理の一例を示す。
【００７２】
本実施の形態２の空気調和装置１では、制御装置５００は、第１の暖房除霜並行運転及び第２の暖房除霜並行運転の時に、制御量である吐出温度Ｔｄから凝縮温度Ｔｃを減算した温度差ΔＴが第１の目標値Ｔ１となるように、バイパス減圧装置２８の開度Ｄを調整するよう構成される。
【００７３】
図３は、本実施の形態２に係る空気調和装置１の制御装置５００における制御処理の一例を示すフローチャートである。図３の制御処理は、除霜運転時に常時行うようにしてもよいし、例えば、吐出温度Ｔｄの変動を検知した際に随時行うようにしてもよい。
【００７４】
以降の本実施の形態２の制御処理の説明では、バイパス減圧装置２８の開度Ｄは、０≦Ｄ≦１の範囲で調整可能なものとする。開度Ｄ＝０の状態は、バイパス減圧装置２８が閉止状態であることを示し、開度Ｄ＝１の状態は、バイパス減圧装置２８が全開放状態であることを示す。
【００７５】
ステップＳ２１においては、制御装置５００は、吐出温度Ｔｄから凝縮温度Ｔｃを減算した温度差ΔＴが、第１の目標値Ｔ１（例えば、２５℃±２℃）を超えるか否かを判定する。
【００７６】
ここで、吐出温度Ｔｄは、圧縮機２から吐出された冷媒の温度を、第４の熱源側冷媒配管１６を介して第２の温度センサ３５で検知した温度である。また、凝縮温度Ｔｃは、制御装置５００において、第１の圧力センサ４０で検知した吐出圧力Ｐ１を飽和温度に換算して算出したものである。
【００７７】
温度差ΔＴが、第１の目標値Ｔ１を超える場合、ステップＳ２２において、制御装置５００は、バイパス減圧装置２８の開度Ｄを、第１の開度差分値ΔＤ１（例えば、０．１）だけ開放する。
【００７８】
温度差ΔＴが第１の目標値Ｔ１以下となる場合、ステップＳ２３において、制御装置５００は、温度差ΔＴが、第１の目標値Ｔ１未満であるか否かを判定する。温度差ΔＴが、第１の目標値Ｔ１未満でもない場合、すなわち、温度差ΔＴが第１の目標値Ｔ１に達した場合、制御処理は終了する。
【００７９】
温度差ΔＴが、第１の目標値Ｔ１未満の場合、ステップＳ２４において、制御装置５００は、バイパス減圧装置２８の開度Ｄを、第２の開度差分値ΔＤ２（例えば、０．１）だけ閉止する。
【００８０】
本実施の形態２に係る空気調和装置１の制御装置５００では、温度差ΔＴが第１の目標値Ｔ１に達するまで、以上のような制御処理が繰り返される。なお、上述の制御処理の説明では、第１の開度差分値ΔＤ１は第２の開度差分値ΔＤ２と同一の数値としたが、異なる数値であってもよい。
【００８１】
除霜運転時は、第２の熱源側熱交換器６ｂに、低圧ガスよりも高温で、凝縮温度が高い中圧のホットガスを流入させることで、除霜能力が上昇させることができる。上述の制御処理は、中圧のホットガスによってアキュムレータ８に液冷媒が過剰に流れ液バック状態となるのを回避するために行われるものである。
【００８２】
本実施の形態２の構成によれば、吐出温度Ｔｄから凝縮温度Ｔｃを減算した温度差ΔＴにより、バイパス減圧装置２８の開度Ｄを調整し、除霜運動のために中圧のホットガスを第２の熱源側熱交換器６ｂに流入することができる。したがって、本実施の形態２の構成によれば、第２の熱源側熱交換器６ｂにおける除霜能力を向上させることができる。
【００８３】
実施の形態３．
本発明の実施の形態３では、上述の実施の形態１に係る制御装置５００の圧縮機２の運動周波数の制御処理の例を示す。
【００８４】
本実施の形態３の空気調和装置１では、第１の暖房除霜並行運転の時には、制御量である凝縮温度Ｔｃが第２の目標値Ｔ２となるように、操作量である圧縮機２の運転周波数ｆを調整し、第２の暖房除霜並行運転の時には、制御量である蒸発温度Ｔｅが第３の目標値Ｔ３となるように、操作量である圧縮機２の運転周波数ｆを調整するよう構成される。
【００８５】
図４は、本実施の形態３に係る空気調和装置１の制御装置５００における制御処理の一例を示すフローチャートである。図４の制御処理は、第１の暖房除霜並行運転時に行われるものであり、第１の暖房除霜並行運転時に常時行うようにしてもよいし、例えば、凝縮温度Ｔｃの変動を検知した際に随時行うようにしてもよい。
【００８６】
ステップＳ３１においては、制御装置５００は、第１の圧力センサ４０で検知した吐出圧力Ｐ１を飽和温度に換算して算出した凝縮温度Ｔｃが、第２の目標値Ｔ２（例えば、２８℃±２℃）を超えるか否かを判定する。
【００８７】
凝縮温度Ｔｃが第２の目標値Ｔ２を超える場合、ステップＳ３２において、制御装置５００は、圧縮機２の運転周波数ｆを、第１の周波数差分値Δｆ１（例えば、０．１）だけ減少させる。
【００８８】
凝縮温度Ｔｃが第２の目標値Ｔ２以下となる場合、ステップＳ３３において、制御装置５００は、凝縮温度Ｔｃが、第２の目標値Ｔ２未満であるか否かを判定する。凝縮温度Ｔｃが、第２の目標値Ｔ２未満でもない場合、すなわち、凝縮温度Ｔｃが第２の目標値Ｔ２に達した場合、制御処理は終了する。
【００８９】
凝縮温度Ｔｃが、第２の目標値Ｔ２未満の場合、ステップＳ３４において、制御装置５００は、圧縮機２の運転周波数ｆを、第２の周波数差分値Δｆ２（例えば、０．１）だけ増加させる。
【００９０】
本実施の形態３に係る空気調和装置１の制御装置５００では、凝縮温度Ｔｃが第２の目標値Ｔ２に達するまで、以上のような制御処理が繰り返される。なお、上述の制御処理の説明では、第１の周波数差分値Δｆ１は第２の周波数差分値Δｆ２と同一の数値としたが、異なる数値であってもよい。
【００９１】
図５は、本実施の形態３に係る空気調和装置１の制御装置５００における制御処理の一例を示すフローチャートである。図５の制御処理は、第２の暖房除霜並行運転時に行われるものであり、第２の暖房除霜並行運転時に常時行うようにしてもよいし、例えば、蒸発温度Ｔｅの変動を検知した際に随時行うようにしてもよい。
【００９２】
ステップＳ４１においては、制御装置５００は、第２の圧力センサ４５で検知した圧力Ｐ２を飽和温度に換算して算出した蒸発温度Ｔｅが、第３の目標値Ｔ３（例えば、２℃±１℃）を超えるか否かを判定する。
【００９３】
蒸発温度Ｔｅが第３の目標値Ｔ３を超える場合、ステップＳ４２において、制御装置５００は、圧縮機２の運転周波数ｆを、第３の周波数差分値Δｆ３（例えば、０．１）だけ増加させる。
【００９４】
蒸発温度Ｔｅが第３の目標値Ｔ３以下となる場合、ステップＳ４３において、制御装置５００は、蒸発温度Ｔｅが、第３の目標値Ｔ３未満であるか否かを判定する。蒸発温度Ｔｅが、第３の目標値Ｔ３未満でもない場合、すなわち、凝縮温度Ｔｃが第３の目標値Ｔ３に達した場合、制御処理は終了する。
【００９５】
蒸発温度Ｔｅが、第３の目標値Ｔ３未満の場合、ステップＳ４４において、制御装置５００は、圧縮機２の運転周波数ｆを、第４の周波数差分値Δｆ４（例えば、０．１）だけ減少させる。
【００９６】
本実施の形態３に係る空気調和装置１の制御装置５００では、蒸発温度Ｔｅが第３の目標値Ｔ３に達するまで、以上のような制御処理が繰り返される。なお、上述の制御処理の説明では、第３の周波数差分値Δｆ３は第４の周波数差分値Δｆ４と同一の数値としたが、異なる数値であってもよい。
【００９７】
従来、除霜運転時の圧縮機２の運転周波数は、通常暖房運転時と同様に凝縮温度が目標凝縮温度になるように制御されている。また、除霜能力及び暖房能力を確保するために圧縮機２の最大周波数は、従来の暖房運転時に比べ高く設定されている。
【００９８】
しかしながら、除霜能力の確保のために、圧縮機の運転周波数を過度に増速すると、蒸発温度の低下により残霜及び着氷を助長する可能性があるという問題点があった。特に、下側の室外機熱交換器が蒸発器として機能する場合、上側の室外機熱交換器の除霜により発生したドレン水が流れ落ちてくるため、下側の室外機熱交換器が氷結する可能性があるといった問題があった。
【００９９】
これに対し、本実施の形態３の構成によれば、第１の暖房除霜並行運転時には、凝縮温度を制御目標として、圧縮機２の運転周波数ｆが調整されるため、空気調和装置１の暖房能力を確保することができる。また、第２の暖房除霜並行運転時には、蒸発温度を制御目標として、運転周波数ｆが調整されるため、第３の熱源側熱交換器６ｃの除霜により発生したドレン水が、第１の熱源側熱交換器６ａで着氷しないように圧縮機２の運転周波数ｆを調整することができる。
【０１００】
以上のとおり、本実施の形態３の構成によれば、暖房能力及び除霜能力を低下させずに、残霜及び着氷の発生を効率良く抑制することができる。
【０１０１】
その他の実施の形態．
上述の実施の形態に限らず種々の変形が可能である。例えば、上述の実施の形態は、空気調和装置１のみに限られず、給湯器等にも用いることができる。
【０１０２】
また、第１の負荷側減圧装置４ａ、第２の負荷側減圧装置４ｂ、第１の熱源側減圧装置５ａ、第２の熱源側減圧装置５ｂ、第３の熱源側減圧装置５ｃ、及びバイパス減圧装置２８は同一種類の減圧装置で構成してもよいし、互いに異なる種類の装置で構成してもよい。
【０１０３】
また、第１のバイパス冷媒分岐配管２２ａ及び第３のバイパス冷媒分岐配管２２ｃには、キャピラリーチューブ等の減圧配管を配置してもよい。
【０１０４】
また、上述の実施の形態は互いに組み合わせて用いることが可能である。
【符号の説明】
【０１０５】
１  空気調和装置、２  圧縮機、３ａ  第１の負荷側熱交換器、３ｂ  第２の負荷側熱交換器、４ａ  第１の負荷側減圧装置、４ｂ  第２の負荷側減圧装置、５ａ  第１の熱源側減圧装置、５ｂ  第２の熱源側減圧装置、５ｃ  第３の熱源側減圧装置、６  熱源側熱交換ユニット、６ａ  第１の熱源側熱交換器、６ｂ  第２の熱源側熱交換器、６ｃ  第３の熱源側熱交換器、７  冷媒流路切替装置、８  アキュムレータ、９ａ  第１の延長冷媒配管接続バルブ、９ｂ  第２の延長冷媒配管接続バルブ、１０  第１の熱源側冷媒配管、１１ａ  第１の熱源側冷媒分岐配管、１１ｂ  第２の熱源側冷媒分岐配管、１１ｃ  第３の熱源側冷媒分岐配管、１２  第２の熱源側冷媒配管、１４  第３の熱源側冷媒配管、１６  第４の熱源側冷媒配管、１８  第５の熱源側冷媒配管、２０  バイパス冷媒配管、２２ａ  第１のバイパス冷媒分岐配管、２２ｂ  第２のバイパス冷媒分岐配管、２２ｃ  第３のバイパス冷媒分岐配管、２４  第１の電磁弁、２６  第２の電磁弁、２８  バイパス減圧装置、３０  第１の温度センサ、３５  第２の温度センサ、４０  第１の圧力センサ、４５  第２の圧力センサ、５０  第１の制御部、５５ａ  第２の制御部、５５ｂ  第３の制御部、５８  通信線、１００  熱源側ユニット、２００ａ  第１の負荷側ユニット、２００ｂ  第２の負荷側ユニット、３００  第１の延長冷媒配管、４００  第２の延長冷媒配管、５００  制御装置。
【図１】
2016166801.tif 000003
【図２】
2016166801.tif 000004
【図３】
2016166801.tif 000005
【図４】
2016166801.tif 000006
【図５】
2016166801.tif 000007
【国際調査報告】
2016166801.tif 000008
2016166801.tif 000009